【手続補正書】
【提出日】平成24年10月10日(2012.10.10)
【手続補正１】
【補正対象書類名】特許請求の範囲
【補正対象項目名】全文
【補正方法】変更
【補正の内容】
【特許請求の範囲】
【請求項１】
積載部上でシートを対向部材に押し付けてシート束を形成する押付部材と、
前記積載部に形成されたシート束を、前記対向部材側で第１の綴じ処理にて綴じる第１の綴じ手段と、
前記積載部に形成されたシート束を、前記押付部材側で第１の綴じ手段よりも綴じが解放しやすい第２の綴じ処理にて綴じる第２の綴じ手段と、
を含むことを特徴とするシート処理装置。
【請求項２】
前記第１の綴じ手段は、前記シート束をステープル針によって貫通させることで前記第１の綴じ処理を行い、
前記第２の綴じ手段は、前記シート束を構成する複数の前記シートに、その重なり方向に跨ったシートの部分を形成することで前記第２の綴じ処理を行うこと
を特徴とする請求項１記載のシート処理装置。
【請求項３】
前記第１の綴じ手段は、前記シート束を構成する前記シートの一辺、または隣接する二辺が交差する一角に前記第１の綴じ処理を行い、
前記第２の綴じ手段は、前記シート束を構成する前記シートの前記一辺に対向する他の一辺、または前記一角に対向する他の一角に前記第２の綴じ処理を行うこと
を特徴とする請求項１または２記載のシート処理装置。
【請求項４】
それぞれが第１の端部および当該第１の端部とは異なる第２の端部を有する複数のシートを、それぞれの当該第１の端部および第２の端部を揃えた状態で重ね合わせたシートの束として積載する積載部と、
前記積載部に積載された前記シートの前記第１の端部に対向して配置される対向部材と、
前記積載部に積載された前記シートにおける前記第１の端部を、前記対向部材に押し付ける押し付け部材と、
前記押し付け部材によって各々の前記シートの前記第１の端部が前記対向部材に押し付けられた前記シートの束における当該第１の端部側を、第１の綴じ処理にて綴じる第１の綴じ手段と、
前記押し付け部材によって各々の前記シートの前記第１の端部が前記対向部材に押し付けられた前記シートの束における前記第２の端部側を、前記第１の綴じ手段よりも綴じを解放しやすい第２の綴じ処理にて綴じる第２の綴じ手段と
を含むことを特徴とするシート処理装置。
【請求項５】
前記第１の綴じ手段は、前記シートの束をステープル針によって貫通させることで前記第１の綴じ処理を行い、
前記第２の綴じ手段は、前記シートの束を構成する複数の前記シートの重なり方向に跨った凹凸を形成することで前記第２の綴じ処理を行うこと
を特徴とする請求項４記載のシート処理装置。
【請求項６】
前記第１の綴じ手段は、前記第１の端部として前記シートの束を構成する前記シートの一辺、または隣接する二辺が交差する一角に前記第１の綴じ処理を行い、
前記第２の綴じ手段は、前記第２の端部として前記一辺に対向する他の一辺、または前記一角に対向する他の一角に前記第２の綴じ処理を行うこと
を特徴とする請求項４または５記載のシート処理装置。
【請求項７】
前記積載部に向けて前記シートを順次搬送する搬送手段をさらに含むとともに、当該シートは、当該シートの搬送方向の先端および後端と、当該先端および当該後端と交差し且つ当該シートの搬送方向に沿う第１の側端および第２の側端とを有し、前記第１の端部は当該先端および当該第１の側端を備え、かつ前記第２の端部は当該後端および当該第２の側端を備え、
前記対向部材は、前記先端と対向する先端対向部と、前記第１の側端と対向する側端対向部とを有し、
前記押し付け部材は、前記シートの前記先端を前記先端対向部に押し付ける先端押し付け部と、当該シートの前記第１の側端を前記側端対向部に押し付ける側端押し付け部とを有すること
を特徴とする請求項４乃至６のいずれか１項記載のシート処理装置。
【請求項８】
前記積載部に積載された前記シートの束に対し、前記第１の綴じ手段による前記第１の綴じ処理を実行させた後に、前記第２の綴じ手段による前記第２の綴じ処理を実行させる
ことを特徴とする請求項４乃至７のいずれか１項記載のシート処理装置。
【請求項９】
それぞれが第１の端部および当該第１の端部とは異なる第２の端部を有する複数のシートを、それぞれの当該第１の端部および第２の端部を揃えた状態で重ね合わせたシートの束として積載する積載手段と、
前記積載手段に積載された前記シートの束を、当該シートの束を構成する各々の前記シートの前記第１の端部を基準として位置決めする位置決め手段と、
前記位置決め手段によって各々の前記シートの前記第１の端部が位置決めされた前記シートの束における当該第１の端部側を、第１の綴じ処理にて綴じる第１の綴じ手段と、
前記位置決め手段によって各々の前記シートの前記第１の端部が位置決めされた前記シートの束における前記第２の端部側を、前記第１の綴じ手段よりも綴じが解放しやすい第２の綴じ処理にて綴じる第２の綴じ手段と
を含むことを特徴とするシート処理装置。
【請求項１０】
請求項１乃至９のいずれか１項記載のシート処理装置と、
シートに画像を形成して前記シート処理装置に向けて供給する画像形成装置と
を含むことを特徴とするシート処理システム。
【手続補正２】
【補正対象書類名】明細書
【補正対象項目名】０００５
【補正方法】変更
【補正の内容】
【０００５】
請求項１記載の発明は、積載部上でシートを対向部材に押し付けてシート束を形成する押付部材と、前記積載部に形成されたシート束を、前記対向部材側で第１の綴じ処理にて綴じる第１の綴じ手段と、前記積載部に形成されたシート束を、前記押付部材側で第１の綴じ手段よりも綴じが解放しやすい第２の綴じ処理にて綴じる第２の綴じ手段と、を含むことを特徴とするシート処理装置である。
請求項２記載の発明は、前記第１の綴じ手段は、前記シート束をステープル針によって貫通させることで前記第１の綴じ処理を行い、前記第２の綴じ手段は、前記シート束を構成する複数の前記シートに、その重なり方向に跨ったシートの部分を形成することで前記第２の綴じ処理を行うことを特徴とする請求項１記載のシート処理装置である。
請求項３記載の発明は、前記第１の綴じ手段は、前記シート束を構成する前記シートの一辺、または隣接する二辺が交差する一角に前記第１の綴じ処理を行い、前記第２の綴じ手段は、前記シート束を構成する前記シートの前記一辺に対向する他の一辺、または前記一角に対向する他の一角に前記第２の綴じ処理を行うことを特徴とする請求項１または２記載のシート処理装置である。
請求項４記載の発明は、それぞれが第１の端部および当該第１の端部とは異なる第２の端部を有する複数のシートを、それぞれの当該第１の端部および第２の端部を揃えた状態で重ね合わせたシートの束として積載する積載部と、前記積載部に積載された前記シートの前記第１の端部に対向して配置される対向部材と、前記積載部に積載された前記シートにおける前記第１の端部を、前記対向部材に押し付ける押し付け部材と、前記押し付け部材によって各々の前記シートの前記第１の端部が前記対向部材に押し付けられた前記シートの束における当該第１の端部側を、第１の綴じ処理にて綴じる第１の綴じ手段と、前記押し付け部材によって各々の前記シートの前記第１の端部が前記対向部材に押し付けられた前記シートの束における前記第２の端部側を、前記第１の綴じ手段よりも綴じを解放しやすい第２の綴じ処理にて綴じる第２の綴じ手段とを含むことを特徴とするシート処理装置である。
請求項５記載の発明は、前記第１の綴じ手段は、前記シートの束をステープル針によって貫通させることで前記第１の綴じ処理を行い、前記第２の綴じ手段は、前記シートの束を構成する複数の前記シートの重なり方向に跨った凹凸を形成することで前記第２の綴じ処理を行うことを特徴とする請求項４記載のシート処理装置である。
請求項６記載の発明は、前記第１の綴じ手段は、前記第１の端部として前記シートの束を構成する前記シートの一辺、または隣接する二辺が交差する一角に前記第１の綴じ処理を行い、前記第２の綴じ手段は、前記第２の端部として前記一辺に対向する他の一辺、または前記一角に対向する他の一角に前記第２の綴じ処理を行うことを特徴とする請求項４または５記載のシート処理装置である。
【手続補正３】
【補正対象書類名】明細書
【補正対象項目名】０００６
【補正方法】変更
【補正の内容】
【０００６】
請求項７記載の発明は、前記積載部に向けて前記シートを順次搬送する搬送手段をさらに含むとともに、当該シートは、当該シートの搬送方向の先端および後端と、当該先端および当該後端と交差し且つ当該シートの搬送方向に沿う第１の側端および第２の側端とを有し、前記第１の端部は当該先端および当該第１の側端を備え、かつ前記第２の端部は当該後端および当該第２の側端を備え、前記対向部材は、前記先端と対向する先端対向部と、前記第１の側端と対向する側端対向部とを有し、前記押し付け部材は、前記シートの前記先端を前記先端対向部に押し付ける先端押し付け部と、当該シートの前記第１の側端を前記側端対向部に押し付ける側端押し付け部とを有することを特徴とする請求項４乃至６のいずれか１項記載のシート処理装置である。
請求項８記載の発明は、前記積載部に積載された前記シートの束に対し、前記第１の綴じ手段による前記第１の綴じ処理を実行させた後に、前記第２の綴じ手段による前記第２の綴じ処理を実行させることを特徴とする請求項４乃至７のいずれか１項記載のシート処理装置である。
【手続補正４】
【補正対象書類名】明細書
【補正対象項目名】０００７
【補正方法】変更
【補正の内容】
【０００７】
請求項９記載の発明は、それぞれが第１の端部および当該第１の端部とは異なる第２の端部を有する複数のシートを、それぞれの当該第１の端部および第２の端部を揃えた状態で重ね合わせたシートの束として積載する積載手段と、前記積載手段に積載された前記シートの束を、当該シートの束を構成する各々の前記シートの前記第１の端部を基準として位置決めする位置決め手段と、前記位置決め手段によって各々の前記シートの前記第１の端部が位置決めされた前記シートの束における当該第１の端部側を、第１の綴じ処理にて綴じる第１の綴じ手段と、前記位置決め手段によって各々の前記シートの前記第１の端部が位置決めされた前記シートの束における前記第２の端部側を、前記第１の綴じ手段よりも綴じが解放しやすい第２の綴じ処理にて綴じる第２の綴じ手段とを含むことを特徴とするシート処理装置である。
請求項１０記載の発明は、請求項１乃至９のいずれか１項記載のシート処理装置と、シートに画像を形成して前記シート処理装置に向けて供給する画像形成装置とを含むことを特徴とするシート処理システムである。
【手続補正５】
【補正対象書類名】明細書
【補正対象項目名】０００８
【補正方法】変更
【補正の内容】
【０００８】
請求項１記載の発明によれば、本構成を有しない場合に比較して、複数の綴じ処理が施されたシートの束において、シートの束を構成する各シートの揃えの乱れを抑制することができる。
請求項２記載の発明によれば、本構成を有しない場合に比較して、シートの束における第１の端部側を解放しにくくできるとともに、第２の端部側を解放しやすくできる。
請求項３記載の発明によれば、本構成を有しない場合に比較して、シートの束の内側に存在するシートの面を露出させにくくすることができる。
請求項４記載の発明によれば、本構成を有しない場合に比較して、複数の綴じ処理が施されたシートの束において、シートの束を構成する各シートの揃えの乱れを抑制することができる。
請求項５記載の発明によれば、本構成を有しない場合に比較して、シートの束における第１の端部側を解放しにくくできるとともに、第２の端部側を解放しやすくできる。
請求項６記載の発明によれば、本構成を有しない場合に比較して、シートの束の内側に存在するシートの面を露出させにくくすることができる。
【手続補正６】
【補正対象書類名】明細書
【補正対象項目名】０００９
【補正方法】変更
【補正の内容】
【０００９】
請求項７記載の発明によれば、本構成を有しない場合に比較して、シートの束を構成する各シートの搬送方向および搬送方向に交差する方向の揃えの乱れを、ともに抑制することができる。
請求項８記載の発明によれば、本構成を有しない場合に比較して、複数の綴じ処理が施されたシートの束において、第１の端部側の揃えの乱れを抑制することができる。
請求項９記載の発明によれば、本構成を有しない場合に比較して、複数の綴じ処理が施されたシートの束において、シートの束を構成する各シートの揃えの乱れを抑制することができる。
請求項１０記載の発明によれば、本構成を有しない場合に比較して、複数の綴じ処理が施されたシートの束において、シートの束を構成する各シートの揃えの乱れを抑制することができる。